【手続補正書】
【提出日】令和2年11月20日(2020.11.20)
【手続補正１】
【補正対象書類名】明細書
【補正対象項目名】全文
【補正方法】変更
【補正の内容】
【発明の詳細な説明】
【発明の名称】ホースリール
【技術分野】
【０００１】
本発明は、外装内に、ホースが捲かれるドラムが収納されてなるホースリールに関するものである。
【背景技術】
【０００２】
再表２００７−８０７４７号公報（特許文献１）には、設置状態においてホース引き出し孔を有する正面の幅寸法が高さ寸法よりも小さく且つ正面の両側に位置する一対の側面の奥行き寸法が高さ寸法に近い縦置き箱形形状の外装と、外装の内部に配置され、一対の側面と直交する方向に延びる中心線を中心にして回転するドラムと、ドラムに捲回されたホースと、ホースの自由端部に設けられたノズルと、外装の外側に収納位置と使用位置との間で回動するように設けられてノズルが係止されるノズルフックを備えた従来のホースリールが開示されている。
【先行技術文献】
【特許文献】
【０００３】
【特許文献１】再表２００７−８０７４７号公報
【発明の概要】
【発明が解決しようとする課題】
【０００４】
特許文献１に記載の従来のホースリールでは、ノズルフックが外装の外側に回動可能に設けられているため、ノズルフックが使用位置に回動している状態では、配送用の段ボール箱が大きくなる問題が生じる。またノズルフックが外装の外側にあるため、ホースリールを使用しないときに保管場所に保管する際または保管場所からホースリールを取り出す際に、ノズルフックが周囲にあるものと絡むことがあり、ノズルフックが邪魔になるだけでなく、ノズルフックに不要の力が加わったときに、ノズルフックが破損する恐れがある。
【０００５】
本発明の目的は、配送用の段ボール箱に収納する際や、保管場所に保管する際及び保管場所から取り出す際に、ノズルフックが邪魔になることがないホースリールを提供することにある。
【０００６】
本発明の他の目的は、外装の強度が強いホースリールを提供することになる。
【課題を解決するための手段】
【０００７】
本発明は、設置状態において前後方向に開口するホース引き出し孔を正面に有する箱形形状の外装と、外装の内部に配置され、一対の側面と直交する方向に延びる中心線を中心にして回転するドラムと、ドラムに捲回されたホースと、ホースの自由端部に設けられたノズルと、外装に設けられてノズルが係止されるノズルフックを備えたホースリールを対象とする。なお外装は，分解できないものでも、分解できるものでもよい。また外装は、一体に構成されているものでも、また複数の部品が組み合わされて構成されているものでもよい。
【０００８】
本発明のホースリールでは、外装の正面のホース引き出し孔の上に、ノズルフックの引き出し窓が形成されている。外装の内部には、引き出し窓が形成されている壁部とドラムとの間に形成されるスペース内に、ノズルフックの不使用時にはノズルフックのフック本体を収納することを可能にし、使用時には引き出し窓からノズルフックのフック本体の大部分を引き出すことを可能にするノズルフック収納支持構造が構成されている。本発明によれば、外装とドラムとの間に形成されるスペースを利用してノズルフックのフック本体を外装内に収納できる。したがって外装の寸法を大きくすることなく、ノズルフックのフック本体を外装内に収納した状態で、配送用の段ボール箱に収納することができるので、またホースリールを保管場所に保管する際及び保管場所から取り出す際に、ノズルフックが邪魔になることがない。
【０００９】
外装は、平面側壁部、底面側壁部、ホース引き出し孔を有する正面側壁部、背面側壁部、平面側壁部と正面側壁部とを連結する第１の角壁部、底面側壁部と正面側壁部とを連結する第２の角壁部と、平面側壁部と背面側壁部とを連結する第３の角壁部と、背面側壁部と底面側壁部とを連結する第４の角壁部と、正面側から見て左右方向にそれぞれ位置する一対の左右側壁部とから構成することができる。第１の角壁部には、ノズルフックのフック本体の大部分が引き出されるフック引き出し窓を設ける。この場合、ノズルフックのフック本体は、不使用時には先端部がフック引き出し窓を塞ぐように外装の内部に収納され、使用時にはフック引き出し窓から主要部が引き出された状態でノズルフック収納支持構造に保持される構造を有しているのが好ましい。そしてノズルフック収納支持構造は、フック本体の大部分が引き出し窓から引き出される際には、ノズルフックをスライド可能に保持し、主要部が引き出し窓から引き出された状態では、フック本体の外装内に位置する部分と係合してノズルフックがフック引き出し窓から抜け出るのを防止するように構成されているのが好ましい。第１の角壁部の内側には、大きなスペースを確保できるので、ノズルフック収納支持構造を余裕を持った大きさで構成することができる。また第１の角壁部に設けたフック引き出し窓からノズルフックを引き出すと、ホース引き出し孔の真上にノズルフックが位置するため、ノズルフックに係止させたノズルとホース引き出し孔との間に出るホースの長さを最小のものとすることができる。したがってホースが邪魔になることを防止できる。
【００１０】
ノズルフック収納支持構造は、前後方向と幅方向に延び且つフック本体の下面の少なくとも一部及び前記フック本体の上面の少なくとも一部と接触するように上下方向に間隔をあけて配置された一対の対向壁部を備えているのが好ましい。このような一対の対向壁部を設けると、フック本体が一対の対向壁部の間に挟まれた状態でノズルフックが保持されるので、ノズルフックを安定した状態でガタツキ無く保持することができる。
【００１１】
一対の対向壁部の一方の対向壁部には、他方の対向壁部に向かって上下方向に延び且つ前後方向の後方に向かって延びる起立壁部が一体に設けられ、フック本体には、一方の対向壁部に向かって開口し且つ後方に向かって開口して、起立壁部が相対的に摺動可能に嵌合する溝部が設けられているのが好ましい。この起立壁部と溝部を設けると、ノズルフックが幅方向に移動することを規制することができるので、ノズルフックをスムーズに前後方向に移動させることが可能になる。
【００１２】
フック本体の外装内に位置する部分は、フック本体の外装内に位置する部分の幅方向の両側面に設けられて引き出し窓から前後方向の後方に向かうに従って幅方向の寸法が小さくなる一対のフック状係止片部から構成されるのが好ましい。この場合、フック本体の外装内に位置する部分と係合してノズルフックが引き出し窓から抜け出るのを防止する構造は、引き出し窓の幅方向の両端部に位置して後方に向かって延びる一対の板状係止片から構成することができる。そして一対の板状係止片は、フック本体が引き出し窓の前方側から引き出し窓内に挿入される際に一対のフック状係止片部の幅方向の側面と接触しながら幅方向の両側に傾き、一対のフック状係止片部が一対の板状係止片の端部を越えると平行状態になる構造を有しているのが好ましい。一対のフック状係止片部と一対の板状係止片とを設けると、ノズルフックをフック引き出し窓から挿入した後は、ノズルフックを前方に引き出すと、一対の板状係止片が一対のフック状係止片部と係止状態になって、ノズルフックが引き出し窓から抜け出るのを阻止することができる。
【００１３】
一対のフック状係止片部の近傍には、一対のフック状係止片部が設けられている部分の変形を容易にするために下方向と幅方向に開口するスリットが形成されているのが好ましい。このようなスリットが形成されていると、一対のフック状係止片部が一対の板状係止片の端部を越えるまでの間、一対のフック状係止片部が内側に変位するので、フック本体の挿入が容易になる。
【００１４】
また一対の対向壁部の一方の対向壁部とフック本体の一方の対向壁部と対向する部分には、フック本体が外装内に完全に収納されているときには、フック本体に所定以上の引き抜き力が加えられたときにのみフック本体が前方に移動することを許容し、フック本体が引き出し窓から引き出されて所定位置を越えているときには、フック本体に所定以上の押し込み力が加えられたときにのみフック本体が後方に移動することを許容する係止構造が設けられているのが好ましい。このような係止構造を設けると、搬送時の振動でフック本体が引き出し窓から出ることを阻止することができ、またフック本体のノズルを係止させるときにフック本体が簡単に外装内に入り込んでしまうのを阻止することができる。
【００１５】
外装の内部には、第１の角壁部と対向し両端が平面側壁部と正面側壁部とに連結されて左右方向に延びる第１の補強壁と、第２の角壁部と対向し両端が底面側壁部と正面側壁部とに連結されて左右方向に延びる第２の補強壁と、第３の角壁部と対向し両端が平面側壁部と背面側壁部とに連結されて左右方向に延びる第３の補強壁と、第４の角壁部と対向し両端が背面側壁部と底面側壁部とに連結されて左右方向に延びる第４の補強壁が外装と一体に設けられていてもよい。このような第１至第４の補強壁を設ければ、外装をプラスチックにより成形した場合で、しかもノズルフックを収納する構造を採用しても、外装に必要な強度を付与することができる。この場合に、ノズルフック収納支持構造の一対の対向壁部が、第１の補強壁を構成しているのが好ましい。このようにすると、ノズルフック収納構造を第１の補強壁の少なくとも一部として兼用するので、補強構造が簡単になる。
【００１６】
従来はホースリールを移動させるために使用する把持ハンドルを外装の外に設けることが考えられている。そこで背面側壁部または第３の角壁部には、使用者の複数本の指が入る把持孔または把持凹部が形成してもよい。特に第３の角壁部とドラムとの間には、広いスペースが確保できるので、把持孔または把持凹部を設けるのに適している。このようにするとホースリールを移動させる際に、把持孔又は把持凹部に使用者が指を入れてホースリールを持ち上げることができる。その結果、把持用の別部品を外装に装着する必要がなくなる。
【００１７】
量販店などでは、ホースリールを段ボールから出して積み上げることがしばしば行われる。そこで平面側壁部には上に置かれる他のホースリールの底面側壁部に設けられた嵌合用凸部が嵌合される嵌合用凹部が形成されており、底面側壁部には下に置かれる他のホースリールの嵌合用凹部が嵌合される嵌合用凸部が形成されているのが好ましい。このような構造を設けると、ホースリールを積み上げて展示する場合に、上のホースリールの嵌合用凸部を下のホースリールの嵌合用凹部に嵌合させることにより、上下のホースリールの間で位置づれが生じることを防止できる。
【００１８】
底面側壁部には、水抜き孔が形成されているのが好ましい。
【００１９】
ノズルフックに、ノズル係止部と給水用ホースの端部に設けられたコネクタを係止するコネクタ係止部を設けることができる。このようにすると、ノズルだけでなく、給水用ホースのコネクタもノズルフックに係止できるので、水道の蛇口から外した給水用ホースが邪魔になることなく、ホースリールを片付けることが可能になる。
【００２０】
なおノズル係止部は、外装から引き出されたフック本体を上下方向に貫通する貫通孔と、該貫通孔と連通した状態で、上下方向及び該上下方向及び幅方向の一方の方向に貫通するスリット部とから構成することができる。この場合、貫通孔は、散水用ホースは通すが、ノズルのハンド部の最大径寸法部分は通さない形状寸法を有しており、スリット部は幅方向の一方の方向から散水用ホースを挿入することが可能な形状寸法を有しているのが好ましい。このようにするとノズルを持った状態で、散水用ホースをスリットに通した後、ノズルの下端部を貫通孔に挿入することにより、ノズルを確実にノズル係止部に係止させることができる。
【００２１】
またコネクタ係止部は、給水用ホースに設けたコネクタが係止可能な構造を有しているのが好ましい。このようにするとコネクタを利用して簡単に給水用ホースをコネクタ係止部に係止できるので、ホースリールを搬送する際に、給水用ホースが邪魔になることがない。
【００２２】
なおコネクタ係止部は、上下方向及び幅方向の一方の方向とは反対の他方の方向に開口する平面視でコの字状を呈する凹部と、凹部の底部に設けられて他方の方向に向かって突出して、コネクタが係止可能な形状を有する係止突起から構成することができる。このようにコネクタ係止部を構成すると、給水用ホースのコネクタを閉じた状態で給水用ホースの端部を係止するので、給水用ホースから中に残った水が漏れることを阻止できる。その結果、使用後のホースリールを移動する際に、給水用ホースから漏れる水の量を減らすことができ、使用者の衣服を濡らすことを軽減できる。
【００２３】
フック本体の上下方向の厚み寸法は、コネクタ係止部の係止突起の最大直径寸法よりも大きく且つコネクタの最大直径寸法よりも小さいのが好ましい。このようにするとコネクタ係止部の係止突起の強度を十分に確保できる上、必要以上にフック本体の厚みを厚くする必要がなくなる。
【図面の簡単な説明】
【００２４】
【図１】（Ａ）は本発明のホースリールの実施の形態の一例の収納状態を示す斜視図であり、（Ｂ）はこのホースリールからノズルフックを引き出した状態の斜視図であり、（Ｃ）はこのホースリールの右側面図である。
【図２】本実施の形態のホースリールの分解斜視図である。
【図３】（Ａ）及び（Ｂ）は、それぞれノズルフックにノズルを掛けた状態を異なる方向から見た斜視図である。
【図４】（Ａ）及び（Ｂ）は、内部構造を示すためにホース７を省略した図１（Ｃ）のＡ−Ａ線断面図及びＢ−Ｂ線断面であり、（Ｃ）はホース端部キャップの取付の一例を示す図である。
【図５】（Ａ）は外装の外装枠体の斜視図であり、（Ｂ）は図４（Ａ）のＶＢ−ＶＢ線断面であり、（Ｃ）は図４（Ａ）のＶＣ−ＶＣ線断面図である。
【図６】（Ａ）は２つのホースリールを積み上げた状態の図であり、（Ｂ）は図６（Ａ）のＢ−Ｂ線断面図、（Ｃ）は図６（Ｂ）のＣ−Ｃ線断面図である。
【図７】（Ａ）乃至（Ｃ）は、ノズルフック収納支持構造にノズルフックが装着されている状態を、それぞれ見る角度を変えて示した部分斜視図である。
【図８】（Ａ）乃至（Ｅ）は、ノズルフックの斜視図、平面図、背面図、左側面図及び右側面図である。
【図９】（Ａ）及び（Ｂ）は、それぞれドラムの支持構造の一部拡大断面図である。
【図１０】ハンドル側のドラムの支持構造の一部拡大断面図である。
【図１１】（Ａ）は外装の側壁部の正面図であり、（Ｂ）は外装の側壁部の背面図である。
【図１２】（Ａ）乃至（Ｃ）は、ドラムの斜視図、左側面図及び正面図であり、（Ｄ）はホース端部キャップを新しい散水用ホースの端部に嵌合した状態を示す図である。
【図１３】（Ａ）乃至（Ｃ）は、ホース連結具を組み付けたドラムの斜視図、半割り斜視図及び部分拡大図である。
【図１４】（Ａ）乃至（Ｄ）は、ホース連結具の斜視図、正面図、左側面図及び右側面図である。
【図１５】（Ａ）乃至（Ｅ）は、給水側のキャップの斜視図、正面図、背面図、図１５（Ｂ）のＤ−Ｄ線断面図及び図１５（Ｂ）のＥ−Ｅ線断面図である。
【図１６】（Ａ）乃至（Ｅ）は、ハンドル側のキャップの斜視図、正面図、背面図、図１６（Ｂ）のＤ−Ｄ線断面図及び図１６（Ｂ）のＥ−Ｅ線断面図である。
【図１７】（Ａ）乃至（Ｆ）は、本発明のホースリールの一実施の形態の正面図、背面図、右側面図、左側面図、平面図及び底面図である。
【発明を実施するための形態】
【００２５】
以下、図面を参照して、本発明のホースリールの実施の形態を詳細に説明する。
【００２６】
＜第１の実施の形態＞
［全体構成］
図１（Ａ）は本発明のホースリールの実施の形態の一例のノズルフック１１の収納状態を示す斜視図であり、図１（Ｂ）はこのホースリール１からノズルフック１１を引き出した状態の斜視図であり、図１（Ｃ）はこのホースリール１の右側面図である。また図２は、本実施の形態のホースリール１の分解斜視図であり、図３（Ａ）及び（Ｂ）はそれぞれノズルフック１１にノズル９を掛けた状態を異なる方向から見た斜視図である。また図４（Ａ）及び（Ｂ）は、内部構造を示すためにホース７を省略した図１（Ｃ）のＡ−Ａ線断面図及びＢ−Ｂ線断面である。なお図４（Ａ）及び（Ｂ）には、断面部分を示すハッチングの図示を省略してある。図５（Ａ）は、外装３の外装枠体３０の斜視図であり、図５（Ｂ）は図４（Ａ）のＶＢ−ＶＢ線断面であり、図５（Ｃ）は図４（Ａ）のＶＣ−ＶＣ線断面図である。なお図５（Ａ）乃至（Ｃ）には、断面部分を示すハッチングの図示を省略してある。
【００２７】
これらの図において、ホースリール１は、プラスチック製の外装３と、外装３の内部に回転自在に収納されたプラスチック製のドラム５と、ドラム５に捲回されたＰＶＣ等のホース７の先端の自由端部に装着されるプラスチック製または金属製のノズル９と、外装３に設けられてノズル９が係止されるプラスチック製のノズルフック１１と、外装３の内部に設けられたドラム５を回転させるプラスチック製または金属製のハンドル１３とを備えている。ドラム５は、外装３の内部に配置され、外装の一対の側面と直交する方向に延びる中心線ＣＬ（図４）を中心にして回転する。
【００２８】
［外装の構成］
なお外装３は，分解できないものでも、分解できるものでもよい。また外装３は、一体に構成されているものでも、また複数の部品が組み合わされて構成されているものでもよい。本実施の形態の外装３は、設置状態において前後方向に開口するホース引き出し孔１５を正面に有しており、正面の前後方向と直交する幅方向の幅寸法Ｗが高さ寸法Ｈよりも小さい縦置き箱形形状を有している。尚外装３は、立方体形状でもよい。
【００２９】
具体的に、外装３は、図５（Ａ）によく示されるように、平面側壁部３１、底面側壁部３２、ホース引き出し孔１５を有する正面側壁部３３、背面側壁部３４、平面側壁部３１と正面側壁部３３とを連結する第１の角壁部３５、底面側壁部３２と正面側壁部３３とを連結する第２の角壁部３６と、平面側壁部３１と背面側壁部３４とを連結する第３の角壁部３７と、背面側壁部３４と底面側壁部３２とを連結する第４の角壁部３８とからなる外装枠体３０と、正面側から見て左右方向にそれぞれ位置する一対の左右側壁部３９及び４０とから構成されている。外装３の正面のホース引き出し孔１５の上に位置する第１の角壁部３５には、ノズルフック１１の引き出し窓４１が形成されている。本実施の形態の外装３では、外装枠体３０に対して左右側壁部３９及び４０が外すことができない嵌め殺し状態で固定されている。そのため外装枠体３０に対して左右側壁部３９及び４０が嵌められた後は、外装３は分解することができない。
【００３０】
外装３の内部には、引き出し窓４１が形成されている壁部（第１の角壁部３５）とドラム５との間に形成されるスペースＳ内に、ノズルフック１１の不使用時にはノズルフック１１のフック本体１１Ａを収納することを可能にし、使用時には引き出し窓４１からノズルフック１１のフック本体１１Ａの大部分を引き出すことを可能にする後に詳しく説明するノズルフック収納支持構造１６が構成されている。このようにすると外装３とドラム５との間に形成されるスペースＳを利用してノズルフック１１のフック本体１１Ａを外装３内に収納できる。そのため外装３の寸法を大きくすることなく、ノズルフック１１のフック本体１１Ａを外装３内に収納した状態で、配送用の段ボール箱に収納することができる。またホースリール１を保管場所に保管する際及び保管場所から取り出す際に、ノズルフック１１が邪魔になることがなく、破損を防ぐことができる。
【００３１】
図５（Ａ）乃至（Ｃ）に示すように、外装３の内部には、第１の角壁部３５と対向し上下方向の両端が平面側壁部３１と正面側壁部３３とに連結されて左右方向に延びる第１の補強壁４２と、第２の角壁部３６と対向し上下方向の両端が底面側壁部３２と正面側壁部３３とに連結されて左右方向に延びる第２の補強壁４３と、第３の角壁部３７と対向し上下方向の両端が平面側壁部３１と背面側壁部３４とに連結されて左右方向に延びる第３の補強壁４４と、第４の角壁部３８と対向し上下方向の両端が背面側壁部３４と底面側壁部３２とに連結されて左右方向に延びる第４の補強壁４５が外装３と一体に設けられていている。このような第１至第４の補強壁４２乃至４５を設ければ、外装３をプラスチックにより成形した場合で、しかもノズルフック１１を収納する構造を採用しても、外装３に必要な強度を付与することができる。
【００３２】
また本実施の形態では、図３に示すように、背面側壁部３４または第３の角壁部３７には、使用者の複数本の指が入る有底の把持凹部４６が形成されている。本実施の形態の把持凹部４６は、使用者の複数本の指が曲がった状態で入るように形状が定められている。なお把持凹部４６に代えて把持孔を設けても良い。第３の角壁部３７とドラム５との間には、広いスペースが確保できるので、把持孔または把持凹部を設けるのに適している。このようにするとホースリール１を移動させる際に、把持孔凹部４６又は把持孔に使用者が指を入れてホースリール１を持ち上げることができる。その結果、把持用の別部品を外装に装着する必要がなくなる。
【００３３】
なお本実施の形態では、図２及び図４に示すように、底面側壁部３２に、水抜き孔４７が形成されている。量販店などでは、図６（Ａ）に示すように、ホースリール１を段ボールから出して積み上げることがしばしば行われる。そこで外装３の平面側壁部３１には上に置かれる他のホースリールの底面側壁部３２に設けられた嵌合用凸部４８［図１（Ｃ），図４（Ｂ），図６（Ｂ）及び（Ｃ）］が嵌合される嵌合用凹部４９が形成されており、底面側壁部３２には下に置かれる他のホースリールの嵌合用凹部４９が嵌合される嵌合用凸部４８が形成されている。なお図６（Ｂ）及び（Ｃ）には、断面を示すハッチングは省略してある。このような構造を設けると、ホースリール１を積み上げて展示する場合に、上のホースリールの嵌合用凸部４８を下のホースリールの嵌合用凹部４９に嵌合させることにより、上下のホースリールの間で位置づれが生じることを防止できる。
【００３４】
なお図４（Ｃ）に示すように、水抜き孔４７の内周部には、ホースを交換する際に交換用ホースの先端に嵌合するホース端部キャップＨＣを分離可能に一体に設けても良い。ホース端部キャップＨＣは、水抜き孔４７の内周部から嵌合用凸部４８が突出する方向とは反対の方向（ドラム５に向かう方向）に突出させる。ホース端部キャップＨＣを水抜き孔４７の内周部に取り付けておけば、散水用ホースを交換する際に、ホース端部キャップＨＣを探す必要がなくなる。なおホース端部キャップＨＣの使用法については、後に説明する。
【００３５】
［ノズルフック収納支持構造とノズルフックの組み合わせ構成］
図７（Ａ）乃至（Ｃ）は、ノズルフック収納支持構造１６にノズルフック１１が装着されている状態を見る角度を変えて示した部分斜視図である。なお図７（Ａ）乃至（Ｃ）には、断面部分に断面であることを示すハッチングの図示を省略してある。また図８（Ａ）乃至（Ｅ）は、ノズルフック１１の斜視図、平面図、背面図、左側面図及び右側面図である。図５（Ｂ）及び（Ｃ）並びに図７（Ａ）乃至（Ｃ）に示すように、ノズルフック１１のフック本体１１Ａは、不使用時には先端部１１Ｂがフック引き出し窓４１を塞ぐように外装３の内部に収納され、使用時には引き出し窓４１から主要部が引き出された状態でノズルフック収納支持構造１６に保持される構造を有している。ノズルフック収納支持構造１６は、フック本体１１Ａの大部分が引き出し窓４１から引き出される際には、ノズルフック１１をスライド可能に保持し、主要部が引き出し窓４１から引き出された状態では、外装３内に位置するフック本体１１Ａの部分（１１Ｃ）と係合してノズルフック１１がフック引き出し窓４１から抜け出るのを防止するように構成されている。なお本実施の形態では、ノズルフック収納支持構造１６の一部が第１の補強壁４２を構成している。具体的には、ノズルフック収納支持構造１６は、外装３の前後方向と幅方向に延び且つフック本体１１Ａの下面の少なくとも一部及びフック本体の上面の少なくとも一部と接触するように上下方向に間隔をあけて配置された一対の対向壁部４２Ａ及び４２Ｂを備えている。このような一対の対向壁部を設けると、フック本体１１Ａが一対の対向壁部４２Ａ及び４２Ｂの間に挟まれた状態でノズルフックが保持されるので、ノズルフック１１を安定した状態でガタツキ無く強固に保持することができる。
【００３６】
本実施の形態では、一方の対向壁部４２Ｂには、他方の対向壁部４２Ａに向かって上下方向に延び且つ前後方向の後方に向かって延びる起立壁部４２Ｃが一体に設けられている。また並びに図８（Ａ）及び（Ｂ）に示すように、フック本体１１Ａには、一方の対向壁部４２Ｂに向かって開口し且つ後方に向かって開口して、起立壁部４２Ｃが相対的に摺動可能に嵌合する溝部１１Ｄが設けられている。この起立壁部４２Ｃと溝部１１Ｄを設けると、ノズルフック１１が幅方向及び上下方向に移動することを規制することができるので、ノズルフック１１をスムーズに前後方向に移動させることが可能になる。
【００３７】
本実施の形態では、外装３の第１の角壁部３５の内側に、比較的に大きなスペースを確保できるので、ノズルフック収納支持構造１６を、余裕を持った大きさで構成することができる。また第１の角壁部３５に設けたフック引き出し窓４１からノズルフック１１を引き出すと、ホース引き出し孔１５の真上にノズルフック１１が位置するため、ノズルフック１１に係止させたノズル９とホース引き出し孔１５との間に出るホース７の長さを最小のものとすることができる。したがってホース７が邪魔になることを防止できる。
【００３８】
本実施の形態では、フック本体１１Ａの外装内に位置する部分は、フック本体１１Ａの外装３内に位置する部分の幅方向の両側面に設けられて引き出し窓４１から前後方向の後方に向かうに従って幅方向の寸法が小さくなる一対のフック状係止片部１１Ｃから構成されている。また本実施の形態では、フック本体１１Ａの外装３内に位置する一対のフック状係止片部１１Ｃと係合してノズルフック１１が引き出し窓４１から抜け出るのを防止する構造は、引き出し窓４１の幅方向の両端部に位置して後方に向かって延びる一対の板状係止片４２Ｄから構成されている。一対の板状係止片４２Ｄは、フック本体１１Ａが引き出し窓４１の前方側から引き出し窓４１内に挿入される際に一対のフック状係止片部１１Ｃの幅方向の側面と接触しながら幅方向の両側に傾き、一対のフック状係止片部１１Ｃが一対の板状係止片４２Ｄの端部を越えると平行状態になる構造を有している。一対のフック状係止片部１１Ｃと一対の板状係止片４２Ｄとを設けると、ノズルフック１１をフック引き出し窓４１から挿入した後は、ノズルフック１１を前方に引き出すと、一対の板状係止片４２Ｄが一対のフック状係止片部１１Ｃと係止状態になって、ノズルフック１１が引き出し窓４１から抜け出るのを阻止することができる。
【００３９】
また図８（Ａ）、（Ｃ）及び（Ｄ）に示すように、一対のフック状係止片部１１Ｃの近傍には、一対のフック状係止片部１１Ｃが設けられている部分の変位を容易にするために下方向と幅方向に開口するスリット１１Ｅが形成されている。このようなスリット１１Ｅを形成すると、一対のフック状係止片部１１Ｃが一対の板状係止片４２Ｄの端部を越えるまでの間、一対のフック状係止片部１１Ｃが内側に変位するので、フック本体１１Ａの挿入が容易になる。
【００４０】
また対向壁部４２Ｂとフック本体１１Ａの対向壁部４２Ｂと対向する部分には、フック本体１１Ａが外装３内に完全に収納されているときには、フック本体１１Ａに所定以上の引き抜き力が加えられたときにのみフック本体１１Ａが前方に移動することを許容し、フック本体１１Ａが引き出し窓４１から引き出されて所定位置を越えているときには、フック本体１１Ａに所定以上の押し込み力が加えられたときにのみフック本体１１Ａが後方に移動することを許容する係止構造が設けられている。具体的に本実施の形態では、係合構造の一部として、図７（Ａ）及び（Ｂ）に示すように、対向壁部４２Ａの中央部に、起立壁部４２Ｃと対向するように前後方向に間隔をあけて突起４２Ｅ及び４２Ｆが設けられている。また図７（Ａ）乃至（Ｃ）及び図８（Ｃ）に示すように、フック本体１１Ａの背面部の中央部には、溝部１１Ｄと対応する位置に係合片１１Ｆが係合構造の残部として設けられている。係合片１１Ｆの両側には係合片の動きを容易にするために一対のスリット１１Ｇが形成されている。またフック本体１１Ａの底部には、一対の突起１１Ｈが一体に設けられている。これらの突起１１Ｈは、係合構造が非係合状態にあるときに、対向壁部４２Ｂの表面と接触して、フック本体１１Ａが上下方向に振動するのを抑制する。この係合構造では、フック本体１１Ａが外装３内に完全に収納されているときには、係合片１１Ｆが突起４２Ｆを後方側に乗り越えており、フック本体１１Ａに所定以上の引き抜き力が加えられたときにのみ、係合片１１Ｆが突起４２Ｆを乗り越えてフック本体１１Ａが前方に移動することが許容される。またフック本体１１Ａが引き出し窓４１から引き出されて所定位置を越えて図７（Ｂ）に示すように、係合片１１Ｆが突起４２Ｅを前方側に乗り越えており、フック本体１１Ａに所定以上の押し込み力が加えられたときにのみフック本体１１Ａが突起４２Ｅを後方側に乗り越えて後方に移動することを許容する。このような係止構造を設けると、搬送時の振動でフック本体１１Ａが引き出し窓から出ることを阻止することができ、またフック本体１１Ａにノズル９を係止させるときにフック本体１１Ａが簡単に外装３内に入り込んでしまうのを阻止することができる。
【００４１】
［ノズルフックの構造］
図３（Ａ）及び（Ｂ）、図７（Ａ）乃至（Ｃ）及び図８（Ａ）及び（Ｂ）に示すように、ノズルフック１１に、ノズル係止部１１Ｉと給水用ホース１７の端部に設けられたコネクタ１９を係止するコネクタ係止部１１Ｊが設けられている。このようにすると、ノズル９だけでなく、給水用ホース１７のコネクタ１９もノズルフック１１に係止できるので、水道の蛇口から外した給水用ホース１７が邪魔になることなく、ホースリール１を片付けることが可能になる。
【００４２】
なおノズル係止部１１Ｉは、外装３から引き出されたフック本体１１Ａを上下方向に貫通する貫通孔１１Ｉａと、該貫通孔１１Ｉａと連通した状態で、上下方向及び幅方向の一方の方向に貫通するスリット部１１Ｉｂとから構成されている。貫通孔１１Ｉａは、散水用ホース７は通すが、ノズル９のハンド部９Ａの最大径寸法部分は通さない形状寸法を有している。スリット部１１Ｉｂは幅方向の一方の方向から散水用ホース７を挿入することが可能な形状寸法を有している。このようにするとノズル９を持った状態で、散水用ホース７をスリット部１１Ｉｂに通した後、ノズル９の下端部を貫通孔１１Ｉａに挿入することにより、ノズル９を確実にノズル係止部１１Ｉに係止させることができる。
【００４３】
またコネクタ係止部１１Ｊは、給水用ホース１７に設けたコネクタ１９が係止可能な構造を有している。このようにするとコネクタ１９を利用して簡単に給水用ホース１７をコネクタ係止部１１Ｊに係止できるので、ホースリール１を搬送する際に、給水用ホース１７が邪魔になることがない。
【００４４】
なおコネクタ係止部１１Ｊは、上下方向及び幅方向の一方の方向とは反対の他方の方向に開口する平面視でコの字状を呈する凹部１１Ｊａと、凹部１１Ｊａの底部に設けられて他方の方向に向かって突出して、コネクタ１９が係止可能な形状を有する係止突起１１Ｊｂから構成されている。このようにコネクタ係止部１１Ｊを構成すると、給水用ホース１７のコネクタ１９を閉じた状態で給水用ホース１７の端部を係止するので、給水用ホース１７から中に残った水が漏れることを阻止できる。その結果、使用後のホースリール１を移動する際に、給水用ホース１７から漏れる水で、使用者の衣服を濡らすことを防止できる。
【００４５】
フック本体１１Ａの上下方向の厚み寸法は、コネクタ係止部１１Ｊの係止突起１１Ｊｂの最大直径寸法よりも大きく且つコネクタ１９の最大直径寸法よりも小さい。このようにするとコネクタ係止部１１Ｊの係止突起１１Ｊｂの強度を十分に確保できる上、必要以上にフック本体１１Ａの厚みを厚くする必要がなくなる。
【００４６】
［散水用ホースの交換構造］
本実施の形態の外装３は、前述の通り分解できない構造であるため、組立後に散水用ホース７を交換できる構造を有している。図９（Ａ）及び（Ｂ）及び図１０には、図４（Ａ）及び（Ｂ）の構造の理解を容易にするために、図４（Ａ）及び（Ｂ）に示したドラム５の支持構造の一部拡大断面図を示してある。そして図１１（Ａ）は、外装３の側壁部３９の正面図であり、図１１（Ｂ）は外装３の側壁部３９の背面図である。図１２（Ａ）乃至（Ｃ）はドラムの斜視図、左側面図及び正面図であり、図１３（Ａ）乃至（Ｃ）はホース連結具６を固定したドラム５の斜視図、半割り斜視図及び符合Ａで示した部分の部分拡大図である。散水用ホース７は、外装３の内部に配置されたドラム５に捲回されている。図４（Ａ）及び（Ｂ）、図１２（Ａ）乃至（Ｃ）及び図１３（Ａ）乃至（Ｃ）に示すように、ドラム５は、外装３の一対の側壁部３９及び４０と直交する方向に延びる回転中心線ＣＬを中心にして回転し且つ内部に散水用ホース７（図２，図３）の一部が入る筒状部５１を備え、筒状部５１の両端に一対の鍔部５２及び５３を備えている。筒状部５１の外周部には、散水用ホース７が捲かれる。図４（Ａ）及び（Ｂ）、図９（Ａ）並びに図１３（Ａ）乃至（Ｃ）に示すように、筒状部５１の一方の端部にはホース連結具６が嵌合されて固定されている。なお図１４（Ａ）乃至（Ｄ）には、ホース連結具６の斜視図、正面図、左側面図及び右側面図が示してある。
【００４７】
図９（Ａ）及び（Ｂ）に示すように、外装３の一方の側壁部３９には、ホース連結具６を抜き出すことを許容する連結具貫通嵌合孔３９Ａが、回転中心線ＣＬを中心として形成されている。後に詳しく説明するが、ホース連結具６は、一端に筒状部５１の外部で給水用ホース１７が連結される第１のホース連結部６１を有し、他端に筒状部５１の内部において散水用ホース７の端部が連結される第２のホース連結部６２を有している。そして後に詳しく説明するが、このドラム５の筒状部５１の一端に固定されたホース連結具６を取り外し、ホース連結具６を連結具貫通嵌合孔３９Ａから外部に引き出すことにより、散水用ホース７の交換を行う。
【００４８】
連結具貫通嵌合孔３９Ａには中央に貫通孔２１Ａを有するキャップ２１が嵌合されており、キャップ２１の貫通孔２１Ａから、ホース連結具６の第１のホース連結部６１が突出している。なお図１５（Ａ）乃至（Ｅ）には、キャップ２１の斜視図、正面図、背面図、図１５（Ｂ）のＤ−Ｄ線断面図及び図１５（Ｂ）のＥ−Ｅ線断面図を示してある。図９（Ａ）に示すように、連結具貫通嵌合孔３９Ａは、回転中心線ＣＬを中心とする筒状の大径部３９Ａａと筒状の大径部３９Ａａよりも径の小さい筒状の小径部３９Ａｂと、大径部３９Ａａと小径部３９Ａｂとを連結するように回転中心線と直交する方向に延びる回転中心線を中心とする円環状の環状部３９Ａｃとによって囲まれている。連結具貫通嵌合孔３９Ａは、環状部３９Ａｃの内縁部によって囲まれて小径部３９Ａｂよりも径寸法の小さい最小孔部３９Ａｄを有している。そして環状部３９Ａｃの内縁部には、周方向に所定の間隔（本実施例では１８０度）をあけた位置に回転中心線ＣＬが延びる方向に貫通し且つ径方向内側に開口する２つの貫通凹部３９Ｂが形成されている。環状部３９Ａｃの内縁部の背面部には、２つの貫通凹部３９Ｂから周方向に所定の回転角度（本実施例では９０度）分あけた位置に回転中心線ＣＬが延びる方向と径方向内側に開口する２つの有底凹部３９Ｃ［図９（Ｂ）及び図１１（Ｂ）］が形成されている。
【００４９】
図１５（Ａ）乃至（Ｅ）に示すように、キャップ２１は、中央に貫通孔２１Ａを有するカップ状部分２１Ｂと、該カップ状部分２１Ｂの開口部側にカップ状部分２１Ｂと一体に設けられて側壁部３９の環状部３９Ａｃと対向するフランジ部２１Ｃと、カップ状部分２１Ｂの外周部から周方向に１８０度の角度間隔を開けて径方向外側に突出する２つの突起部２１Ｄと、フランジ部に一体に設けられカップ状部分が位置する側に突出し且つフランジ部２１Ｃの周方向に間隔をあけて形成された２つのスペーサ部２１Ｅを備えている。そして２つの突起部２１Ｄと２つのスペーサ部２１Ｅは、カップ状部分２１Ｂの膨出方向からキャップ２１を見たときに周方向に回転角度（１８０度）分離れて配置されている。
【００５０】
図９（Ａ）及び（Ｂ）に示す２つの突起部２１Ｄの位置と２つのスペーサ部２１Ｅの突出量及び位置は、以下の動作を許容するように定められている。すなわち２つの突起部２１Ｄが貫通凹部３９Ｂを通過して連結具貫通嵌合孔３９Ａの小径部３９Ａｂ内に嵌合するようにキャップを押し込んだ状態で、２つのスペーサ部２１Ｅが環状部３９Ａｃと接触し、その後キャップ２１が一方向に回転しているときに、フランジ部２１Ｃに素材弾性を発揮させて２つの突起部２１Ｄが素材弾性により環状部３９Ａｃの裏面に押し付けられるのを阻止または抑制し、２つの突起部２１Ｄが２つの有底凹部３９Ｃに嵌ると素材弾性の発揮が解除されて２つの突起部２１Ｄが２つの有底凹部３９Ｃに完全に嵌る。また有底凹部３９Ｃ内に２つの突起部２１Ｄが完全に嵌っている状態でキャップ２１を押し込むと２つの突起部２１Ｄが２つの有底凹部３９Ｃから抜け、その後キャップ２１を他方向に回転しているときにスペーサ部２１Ｅの先端が環状部３９Ａｃの表面と接触しながら、フランジ部２１Ｃに素材弾性を発揮させて２つの突起部２１Ｄが素材弾性により環状部３９Ａｃの裏面に押し付けられるのを阻止または抑制し、２つの突起部２１Ｄが貫通凹部３９Ｂに嵌ると素材弾性の発揮が解除されて２つの突起部２１Ｄを２つの貫通凹部３９Ｂから抜き出すことが可能になる。
【００５１】
なおキャップ２１の貫通孔２１Ａは、筒部２１Ｆの内部に形成されており、筒部２１Ｆの外側端部には周方向に所定の間隔をあけて回り止め用スリット２１Ｇが複数形成されている。この回り止め用スリット２１Ｇには、給水用ホースの先端に設けたコネクタ１９の一部が嵌って回り止めがはかられる。
【００５２】
連結具貫通嵌合孔３９Ａに、キャップ２１を嵌合するためには、キャップ２１を連結具貫通嵌合孔３９Ａに押し込む動作をする際に、図１５（Ｃ）及び（Ｄ）に示すキャップ２１の２つの突起部２１Ｄを、図１１（Ａ）及び（Ｂ）に示す側壁部３９に形成した連結具貫通嵌合孔３９Ａの周囲に設けた２つの貫通凹部３９Ｂに挿入する押し込み動作をした後に、回転中心線ＣＬを中心にしてキャップ２１を一方向に回転させる動作をする。キャップ２１を外す際には、キャップ２１に押し込み動作をした後に、キャップ２１を一方向とは反対の他方向に回転させる動作をした後、キャップ２１を連結具貫通嵌合孔３９Ａから引き抜く動作をすることにより、突起部２１Ｄを貫通凹部３９Ｂから引き出して、嵌合状態を解除する。この構造によれば、キャップ２１はネジを用いることなく、嵌合だけで取り付けることができるので、少ない部品点数での組立が可能になる。キャップ２１には、回転させる際に使用者の指を掛ける爪部２１Ｈがカップ状部分２１Ｂの内部に１８０度間隔をあけて一体に設けられている。
【００５３】
図１４（Ａ）乃至（Ｄ）に示すように、ホース連結具６は、一端に筒状部５１の外部で給水用ホース１７が連結される第１のホース連結部６１を有し、他端に筒状部５１の内部において散水用ホース７の端部が連結される第２のホース連結部６２を有している。ホース連結具６は、筒状部５１の一端に取り外し可能に固定するために、ドラム５の筒状部５１の一端に嵌合される円板状の板状部６３を一体に有している。板状部６３の外周部と筒状部の一端の内周部には、嵌合解除が可能な嵌合構造を構成する嵌合段部６３Ａ［図１４（Ａ），（Ｂ）及び（Ｄ），図９（Ａ）］と被嵌合段部５１Ａ［図９（Ａ），図１２（Ａ）］とが、それぞれ一体に設けられている。このような嵌合構造を用いると、ホース連結具６のドラム５への位置決めが容易になる。
【００５４】
またホース連結具６の板状部６３の外周部の近傍には、板状部６３の径方向と厚み方向に開口する凹部６４が形成されている。また板状部６３には、凹部６４と径方向に対向する外周部には径方向外側に突出する外側突出部６５が一体に設けられている。またドラム５の筒状部５１の一端の内周部には外側突出部６５が嵌入される嵌入孔５１Ｂ［図１２（Ｂ）及び（Ｃ）、図１３（Ｂ）及び（Ｃ）］が形成されている。またドラム５の筒状部５１の一端の内周部には嵌入孔５１Ｂと径方向に対向する位置に径方向内側に突出する内側突出部５１Ｃが一体に設けられている。この内側突出部５１Ｃには、図１３（Ｃ）に示すように、嵌入孔５１Ｂに外側突出部６５が嵌入されて、凹部６４と内側突出部５１Ｃとが整合した状態で、凹部６４を通して挿入されるネジ部材ＳＣ［図２］が螺入されるネジ螺入孔５１Ｄ［図１２（Ａ）及び（Ｂ）並びに図１３（Ａ）］が形成されている。このような構造を採用すると、ドラム５の嵌入孔５１Ｂにホース連結具６の外側突出部６５を嵌入することにより［図１３（Ｂ）及び（Ｃ）］、ホース連結具６の板状部６３に設けた凹部６４を、ドラム５の筒状部５１の一端の内周部に設けた内側突出部５１Ｃと整合させることができる。ドラム５の嵌入孔５１Ｂにホース連結具６の外側突出部６５を嵌入することにより、ホース連結具６の抜け止めと回り止めが図られる。
【００５５】
その上ネジ部材ＳＣをネジ螺入孔５１Ｄに螺入させることによりホース連結具６をドラム５の筒状部５１に対して固定することができる。ホース７を交換する際には、ネジ部材ＳＣを外すことにより、ホース連結具６をドラム５の筒状部５１の一端から簡単に外すことができる。
【００５６】
ホース７を交換する際には、引き出したホース連結具６から交換すべき散水用ホース７を取り外し、外装３の正面のホース引き出し孔１５（図２）からホース７を引き抜く。その後、ホース引き出し孔１５から新しい散水用ホースの端部を外装３内に挿入し、ドラム５のホース貫通孔５７から筒状部５１の内部を通して筒状部５１の一端から新しい散水用ホースの端部を押し出し、新たな散水用ホースをホース連結具６の第２のホース連結部６２に連結する。その後ホース連結具６をドラム５の筒状部５１の一端に固定し、ドラム５を回転させることにより、筒状部５１の周囲に新しいホースを捲回すれば、散水用ホースを交換することができる。なお図１２（Ｄ）に示すように、新しい散水用ホース７の端部には、図４（Ｃ）に示したホース端部キャップＨＣを嵌合して、ドラム５のホース貫通孔５７に挿入するようにしてもよい。ホース貫通孔５７から筒状部５１の内部に新しい散水用ホース７を押し込む際に、散水用ホース７の端部が切断面のままであると、接触抵抗が大きいために新しい散水用ホース７を押し込み難くなる。これに対してホース端部キャップＨＣを新しい散水用ホース７の端部に嵌合すれば、新しい散水用ホース７の先端部の接触抵抗が小さくなり、新しい散水用ホース７が途中で引っかかることなくスムーズに散水用ホース７の端部を進ませることができる。
【００５７】
［ドラムの支持構造］
図４（Ａ）及び（Ｂ），図９（Ａ）及び（Ｂ）並びに図１２（Ａ）乃至（Ｃ）に示すように、ドラム５の一対の鍔部５２及び５３には、回転中心線ＣＬを中心とする一対の筒状壁部５４及び５５が一体に設けられている。そして外装３の一対の側壁部３９及び４０には、回転中心線ＣＬを中心としてそれぞれ一対の筒状壁部５４及び５５の内側に緩く嵌合する一対の筒状嵌合壁部３９Ｄ及び４０Ｃが一体に設けられている。この構造によれば、一対の筒状壁部５４及び５５と一対の筒状嵌合壁部３９Ｄ及び４０Ｃが緩く嵌合することにより、ドラム５の軸受け構造を簡単に構成することができる。
【００５８】
本実施の形態では、ドラム５は一体に成形されているが、筒状部５１と鍔部５２及び５３を別部品として、これらの部品を組み合わせることにより、ドラム５を構成するようにしても良いのは勿論である。
【００５９】
［ハンドルの取付構造］
図４（Ａ）及び（Ｂ）並びに図１０に示すように、ドラム５の筒状部５１の他端には、回転中心線ＣＬに沿って延びるハンドル固定部８が一体に設けられている。外装３の側壁部４０には、ハンドル固定部８の中に位置する筒部８Ａが突出する固定部貫通嵌合孔４０Ａが回転中心線を中心として形成されている。固定部貫通嵌合孔４０Ａには中央に貫通孔２３Ａを有するキャップ２３［図１６（Ａ）乃至（Ｅ）］が嵌合されている。このキャップ２３の貫通孔２３Ａから、ハンドル固定部８の筒部８Ａを突出する。この構造によれば、ハンドル固定部８を簡単に突出させることができる。ハンドル１３の取付部１３Ａは、筒部８Ａに対して回転しない回り止め構造を有している。なおこの構造は公知であるため詳細な説明は省略する。またキャップ２３の構造は、前述のキャップ２１と実質的に同じであるため、図１６においては、図１５に付した符号の数に２の数を足した符合を付して説明を省略する。
【００６０】
［ホースの折れ曲がり防止構造］
本実施の形態では、散水用ホース７がドラム５に巻き付けられた状態で、散水用ホース７がドラム５の近傍において折れ曲がり、散水用ホース７から出せる水の量が減少することを防ぐ構造を採用している。図１２（Ａ）乃至（Ｃ）に示すように、ドラム５の筒状部５１には、筒状部５１の円柱状外周面から筒状部５１の仮想回転中心線（ＣＬ）に向かい且つ仮想回転中心（ＣＬ）に沿って延びる鉛直壁部５６を設け、この鉛直壁部５６にホース貫通孔５７を形成している。そして筒状部５１には、ホース貫通孔５７の外側に鉛直壁部５６と連続しホース貫通孔５７から延び出た散水用ホースの一部を円柱状外周面ＣＳまで支持した状態でガイドするガイド壁部５８を設けている。ドラム５をこのように構成すると、散水用ホース７は鉛直壁部５６に設けたホース貫通孔５７を通過した後に、鉛直壁部５６と連続するガイド壁部５８に沿って筒状部５１の外周面ＣＳまでガイドされる。ガイド壁部５８により散水用ホース７の一部を支持すると、筒状部５１の内部からで出る散水用ホースが折れ曲がることなくドラム５の外周面ＣＳまで延びる。その結果、散水用ホースから出る水の量が、減ることを防止できる。図４（Ａ）及び（Ｂ）には、散水用ホース７は図示していない。なお図４（Ａ）及び（Ｂ）には、筒状部５１内に挿入されて、ホース連結具６の第２のホース連結部６２に装着された散水用ホース７の端部に挿入されるコイルスプリング２５を図示してある。図４においては、ハンドル１３の取付部１３Ａの内部にコイルスプリング２５の一端が入っているが、実際には、ホース貫通孔５７から筒状部５１の内部に挿入された散水用ホース７の中に、コイルスプリング２５が挿入される。なおこのコイルスプリング２５の使用も公知であるため詳細な説明は省略する。また図４（Ａ）及び（Ｂ）においては、ホース連結具６の第２のホース連結部６２にホースキャップ２６を嵌めてあるが、このホースキャップ２６は散水用ホース７の端部を第２のホース連結部６２に連結するためのものであり、実際に使用する際には、第２のホース連結部６２に上に装着された散水用ホース７の端部の外側に配置される。
【００６１】
［ホースリール本体］
図１７（Ａ）乃至（Ｆ）には、ホースを装着していないホースリール本体の６面図を示している。なお図１７（Ｆ）に示されるように、このホースリール本体では、水抜き孔の内周部に、新しい散水用ホースＷＨがホース貫通孔５７に挿入される際に新しい散水用ホースの端部に嵌合されるホース端部キャップＨＣが分離可能に一体に設けられている。
【００６２】
［変形例］
キャップ２１及びキャップ２３も同じ構造を有しているものを用いるようにしてもよい。このようにすると部品の共通化を図ることができるので、部品の種類を少なくすることができ、製品の価格を低減できる。
【産業上の利用可能性】
【００６３】
本発明によれば、外装の正面のホース引き出し孔の上に、ノズルフックの引き出し窓が形成されており、外装の内部には、引き出し窓とドラムとの間に形成されるスペース内に、ノズルフックの不使用時にはノズルフックのフック本体を収納することを可能にし、使用時には引き出し窓からノズルフックのフック本体の大部分を引き出すことを可能にするノズルフック収納支持構造を構成しているので、外装とドラムとの間に形成されるスペースを利用してノズルフックのフック本体を外装内に収納できる。したがって外装の寸法を大きくすることなく、ノズルフックのフック本体を外装内に収納した状態で、配送用の段ボール箱に収納することができるので、またホースリールを保管場所に保管する際及び保管場所から取り出す際に、ノズルフックが邪魔になることがない。
【符号の説明】
【００６４】
１  ホースリール
３  外装
５  ドラム
６  ホース連結具
７  散水用ホース
８  ハンドル固定部
８Ａ  筒部
９  ノズル
９Ａ  ハンド部
１１  ノズルフック
１１Ａ  フック本体
１１Ｂ  先端部
１１Ｃ  フック状係止片部
１１Ｄ  溝部
１１Ｅ  スリット
１１Ｆ  係合片
１１Ｇ  スリット
１１Ｈ  突起
１１Ｉ  ノズル係止部
１１Ｊ  コネクタ係止部
１１Ｉａ  貫通孔
１１Ｉｂ  スリット部
１１Ｊａ  凹部
１１Ｊｂ  係止突起
１３  ハンドル
１３Ａ  取付部
１５  孔
１６  ノズルフック収納支持構造
１７  給水用ホース
１９  コネクタ
２１  キャップ
２１Ａ  貫通孔
２１Ｂ  カップ状部分
２１Ｃ  フランジ部
２１Ｄ  突起部
２１Ｅ  スペーサ部
２１Ｆ  筒部
２１Ｇ  スリット
２１Ｈ  爪部
２３Ａ  貫通孔
２３  キャップ
２５  コイルスプリング
２６  ホースキャップ
３０  外装枠体
３１  平面側壁部
３２  底面側壁部
３３  正面側壁部
３４  背面側壁部
３５  第１の角壁部
３６  第２の角壁部
３７  第３の角壁部
３８  第４の角壁部
３９  側壁部
３９Ａ  連結具貫通嵌合孔
３９Ｂ  貫通凹部
３９Ｃ  有底凹部
３９Ｄ，４０Ｃ  筒状嵌合壁部
４０  側壁部
４０Ａ  固定部貫通嵌合孔
４１  引き出し窓
４２  第１の補強壁
４３  第２の補強壁
４４  第３の補強壁
４５  第４の補強壁
４２Ａ  対向壁部
４２Ｂ  対向壁部
４２Ｃ  起立壁部
４２Ｄ  板状係止片
４２Ｅ  突起
４２Ｆ  突起
４６  把持孔
４７  水抜き孔
４８  嵌合用凸部
４９  嵌合用凹部
５１  筒状部
５１Ａ  被嵌合部
５１Ｂ  嵌入孔
５１Ｃ  内側突出部
５１Ｄ  ネジ螺入孔
５２，５３  鍔部
５４，５５  筒状壁部
５６  鉛直壁部
５７  ホース貫通孔
５８  ガイド壁部
６１  筒状部
６２  ホース連結部
６３  板状部
６３Ａ  嵌合段部
６４  凹部
６５  外側突出部
Ｗ  幅寸法
Ｈ  寸法
Ｓ  スペース
ＣＬ  回転中心線
ＳＣ  ネジ部材
ＣＳ  円柱状外周面
ＨＣ  ホース端部キャップ
【手続補正２】
【補正対象書類名】特許請求の範囲
【補正対象項目名】全文
【補正方法】変更
【補正の内容】
【特許請求の範囲】
【請求項１】
設置状態において前後方向に開口するホース引き出し孔を正面に有する箱形形状の外装と、
前記外装の内部に配置され、前記外装の一対の側面と直交する方向に延びる中心線を中心にして回転するドラムと、
前記ドラムに捲回されたホースと、
前記ホースの自由端部に設けられたノズルと、
前記外装に設けられて前記ノズルが係止されるノズルフックを備えたホースリールであって、
前記外装の前記正面には、前記ホース引き出し孔の上に、前記ノズルフックの引き出し窓が形成されており、
前記外装の内部には、前記引き出し窓が形成されている壁部と前記ドラムとの間に形成されるスペース内に、前記ノズルフックの不使用時には前記ノズルフックのフック本体を収納することを可能にし、使用時には前記引き出し窓から前記ノズルフックの前記フック本体の大部分を引き出すことを可能にするノズルフック収納支持構造が構成されていることを特徴とするホースリール。
【請求項２】
前記外装は、平面側壁部、底面側壁部、前記ホース引き出し孔を有する正面側壁部、背面側壁部、前記平面側壁部と前記正面側壁部とを連結する第１の角壁部、前記底面側壁部と前記正面側壁部とを連結する第２の角壁部と、前記平面側壁部と前記背面側壁部とを連結する第３の角壁部と、前記背面側壁部と前記底面側壁部とを連結する第４の角壁部と、正面側から見て左右方向にそれぞれ位置する一対の左右側壁部とからなり、
前記第１の角壁部には、前記フック本体の大部分が引き出される前記フック引き出し窓が設けられており、
前記フック本体は、不使用時には先端部が前記フック引き出し窓を塞ぐように前記外装の内部に収納され、使用時には前記フック引き出し窓から大部分が引き出された状態で前記ノズルフック収納支持構造に保持される構造を有しており、
前記ノズルフック収納支持構造は、前記フック本体の前記大部分が前記引き出し窓から引き出される際には、前記フック本体をスライド可能に保持し、前記大部分が前記引き出し窓から引き出された状態では、前記フック本体の前記外装内に位置する部分と係合して前記ノズルフックが前記フック引き出し窓から抜け出るのを防止するように構成されている請求項１に記載のホースリール。
【請求項３】
前記ノズルフック収納支持構造は、前記前後方向と幅方向に延び且つ前記フック本体の下面の少なくとも一部及び前記フック本体の上面の少なくとも一部と接触するように上下方向に間隔をあけて配置された一対の対向壁部を備えている請求項２に記載のホースリール。
【請求項４】
前記一対の対向壁部の一方の対向壁部には、他方の対向壁部に向かって前記上下方向に延び且つ前記前後方向の後方に向かって延びる起立壁部が一体に設けられ、
前記フック本体には、前記一方の対向壁部に向かって開口し且つ前記後方に向かって開口して、前記起立壁部が相対的に摺動可能に嵌合する溝部が設けられている請求項３に記載のホースリール。
【請求項５】
前記フック本体の前記外装内に位置する部分は、前記フック本体の前記外装内に位置する部分の幅方向の両側面に設けられて前記引き出し窓から前記前後方向の後方に向かうに従って前記幅方向の寸法が小さくなる一対のフック状係止片部から構成され、
前記フック本体の前記外装内に位置する部分と係合して前記ノズルフックが前記引き出し窓から抜け出るのを防止する構造は、前記引き出し窓の前記幅方向の両端部に位置して前記後方に向かって延びる一対の板状係止片から構成され、
前記一対の板状係止片は、前記フック本体が前記引き出し窓の前方側から前記引き出し窓内に挿入される際に前記一対のフック状係止片部の前記幅方向の側面と接触しながら前記幅方向の両側に傾き、前記一対のフック状係止片部が前記一対の板状係止片の端部を越えると平行状態になる構造を有している請求項２に記載のホースリール。
【請求項６】
前記一対のフック状係止片部の近傍には、前記一対のフック状係止片部が設けられている部分の変形を容易にするために下方向と前記幅方向に開口するスリットが形成されている請求項５に記載のホースリール。
【請求項７】
前記一対の対向壁部の一方の対向壁部と前記フック本体の前記一方の対向壁部と対向する部分には、前記フック本体が前記外装内に完全に収納されているときには、前記フック本体に所定以上の引き抜き力が加えられたときにのみ前記フック本体が前方に移動することを許容し、前記フック本体が前記引き出し窓から引き出されて所定位置を越えているときには、前記フック本体に所定以上の押し込み力が加えられたときにのみ前記フック本体が後方に移動することを許容する係止構造が設けられている請求項３に記載のホースリール。
【請求項８】
前記外装の内部には、前記第１の角壁部と対向し両端が前記平面側壁部と前記正面側壁部とに連結されて前記左右方向に延びる第１の補強壁と、前記第２の角壁部と対向し両端が前記底面側壁部と前記正面側壁部とに連結されて前記左右方向に延びる第２の補強壁と、前記第３の角壁部と対向し両端が前記平面側壁部と前記背面側壁部とに連結されて前記左右方向に延びる第３の補強壁と、前記第４の角壁部と対向し両端が前記背面側壁部と前記底面側壁部とに連結されて前記左右方向に延びる第４の補強壁とが前記外装と一体に設けられており、
前記ノズルフック収納支持構造の前記一対の対向壁部が、前記第１の補強壁を構成している請求項２に記載のホースリール。
【請求項９】
前記背面側壁部または前記第３の角壁部には、使用者の複数本の指が入る把持孔または把持凹部が形成されている請求項２に記載のホースリール。
【請求項１０】
前記平面側壁部には上に置かれる他のホースリールの前記底面側壁部に設けられた嵌合用凸部が嵌合される嵌合用凹部が形成されており、
前記底面側壁部には下に置かれる他のホースリールの嵌合用凹部が嵌合される嵌合用凸部が形成されている請求項２乃至９のいずれか１項に記載のホースリール。
【請求項１１】
前記底面側壁部には、水抜き孔が形成されている請求項１乃至１０のいずれか１項に記載のホースリール。
【請求項１２】
前記ノズルフックには、ノズル係止部と給水用ホースの端部に設けられたコネクタを係止するコネクタ係止部が設けられている請求項１に記載のホースリール。
【請求項１３】
前記ノズル係止部は、前記外装から引き出されたフック本体を前記上下方向に貫通する貫通孔と、該貫通孔と連通した状態で、前記上下方向及び幅方向の一方の方向に貫通するスリット部とからなり、
前記貫通孔は、散水用ホースは通すが、前記ノズルのハンド部の最大径寸法部分は通さない形状寸法を有しており、
前記スリット部は前記幅方向の前記一方の方向から前記散水用ホースを挿入することが可能な形状寸法を有している請求項１２に記載のホースリール。
【請求項１４】
前記コネクタ係止部は、前記コネクタが係止可能な構造を有している請求項１２または１３に記載のホースリール。
【請求項１５】
前記コネクタ係止部は、前記上下方向及び前記幅方向の前記一方の方向とは反対の他方の方向に開口する平面視でコの字状を呈する凹部と、
前記凹部の底部に設けられて前記他方の方向に向かって突出して、前記コネクタが係止可能な形状を有する係止突起から構成される請求項１４に記載のホースリール。
【請求項１６】
前記フック本体の前記上下方向の厚み寸法は、前記コネクタ係止部の前記係止突起の最大直径寸法よりも大きく且つ前記コネクタの最大直径寸法よりも小さい請求項１３に記載のホースリール。
【手続補正３】
【補正対象書類名】図面
【補正対象項目名】図１７
【補正方法】変更
【補正の内容】
【図１７】
2019104579.tif 000001